(57)【特許請求の範囲】
【請求項１】
内部に貯蔵室が形成された断熱箱体と、
前記貯蔵室に設けられ、上面が開口した収納容器と、
前記収納容器に着脱自在に取り付けられ、前記収納容器内の空間を仕切る仕切板と、
を備え、
前記収納容器の互いに対向する側面部には、前記収納容器の内側に突出した第１リブが設けられており、
前記仕切板の側方の端面部には、当該端面部の長手方向に沿って延伸し前記第１リブと係合する溝が形成されており、
前記仕切板の一方の表面部には凹陥部が形成されており、
前記仕切板は、上端側が前記一方の表面部側に傾斜するように前記収納容器に取り付けられている冷蔵庫。
【請求項２】
前記収納容器の底面部には、当該底面部から上方に突出し、前記収納容器内の空間の下部を仕切る仕切部が設けられており、
前記仕切部の上面部には、当該上面部からさらに上方に突出した第２リブが設けられており、
前記仕切板の下方の端面部には、前記第２リブと係合する凹部が形成されている請求項１に記載の冷蔵庫。
【請求項３】
前記第２リブ又は前記凹部の一方には、係止突起が形成されており、
前記第２リブ又は前記凹部の他方には、前記係止突起により係止される係止穴が形成されている請求項２に記載の冷蔵庫。
【発明の詳細な説明】
【技術分野】
【０００１】
本発明は、貯蔵室に設けられる収納容器を備えた冷蔵庫に関するものである。
【背景技術】
【０００２】
特許文献１には、野菜室を備えた冷蔵庫が記載されている。野菜室には、下段容器及び上段容器が前後方向に引出し自在に収容されている。下段容器の内部は、仕切りによって２つの空間に仕切られている。仕切りは、下段容器の内壁において対向して設けられた一組の仕切り係止部に挟持されている。
【先行技術文献】
【特許文献】
【０００３】
【特許文献１】特開２０１５−２０６４７３号公報
【発明の概要】
【発明が解決しようとする課題】
【０００４】
特許文献１に記載された冷蔵庫では、一組の仕切り係止部のそれぞれは、仕切りの一方側の表面を支持する突起部と、仕切りの他方側の表面を支持する突起部と、を有している。これらの突起部は、いずれも容器の内壁から内側に突出して形成されている。したがって、このような冷蔵庫では、容器の収納容積が減少してしまうという課題があった。【０００５】
本発明は、上述のような課題を解決するためになされたものであり、収納容器の収納容積をより増加させることができる冷蔵庫を提供することを目的とする。
【課題を解決するための手段】
【０００６】
本発明に係る冷蔵庫は、内部に貯蔵室が形成された断熱箱体と、前記貯蔵室に設けられ、上面が開口した収納容器と、前記収納容器に着脱自在に取り付けられ、前記収納容器内の空間を仕切る仕切板と、を備え、前記収納容器の互いに対向する側面部には、前記収納容器の内側に突出した第１リブが設けられており、前記仕切板の側方の端面部には、当該端面部の長手方向に沿って延伸し前記第１リブと係合する溝が形成されており、前記仕切板の一方の表面部には凹陥部が形成されており、前記仕切板は、上端側が前記一方の表面部側に傾斜するように前記収納容器に取り付けられているものである。
【発明の効果】
【０００７】
本発明によれば、仕切板を取り付けるための構造が収納容器の収納空間に突出するのを防ぐことができる。したがって、収納容器の収納容積をより増加させることができる。
【図面の簡単な説明】
【０００８】
【図１】本発明の実施の形態１に係る冷蔵庫１の構成を示す斜視図である。
【図２】図１のＩＩ−ＩＩ断面を示す断面図である。
【図３】図２のＩＩＩ−ＩＩＩ断面を示す断面図である。
【図４】本発明の実施の形態１に係る冷蔵庫１の上段収納容器７４−１、下段収納容器７４−２及び仕切板８４の構成を示す斜視図である。
【図５】本発明の実施の形態１に係る冷蔵庫１の下段収納容器７４−２及び仕切板８４の構成を示す斜視図である。
【図６】図４のＶＩ−ＶＩ断面を示す断面図である。
【図７】本発明の実施の形態２に係る冷蔵庫１の下段収納容器７４−２及び仕切板８４の構成を示す斜視図である。
【図８】本発明の実施の形態２に係る冷蔵庫１の仕切板８４を下端面部８４ａ側から見た構成を示す斜視図である。
【図９】本発明の実施の形態２に係る冷蔵庫１の下段収納容器７４−２に仕切板８４及び上段収納容器７４−１を取り付けた状態を示す斜視図である。
【図１０】図９のＸ−Ｘ断面を示す断面図である。
【図１１】図１０のＸＩ部を拡大して示す図である。
【図１２】本発明の実施の形態２の比較例として、仕切板８４が底面部６４ａに対して垂直に取り付けられた場合の下段収納容器７４−２等の構成を示す図である。
【図１３】本発明の実施の形態２に係る下段収納容器７４−２等の構成を示す図である。
【図１４】本発明の実施の形態３に係る冷蔵庫１の下段収納容器７４−２を奥側側面部６４ｄ側から見た構成を示す斜視図である。
【図１５】図１４のＸＶ部を拡大して示す図である。
【図１６】本発明の実施の形態３に係る冷蔵庫１の仕切板８４を下端面部８４ａ側から見た構成を示す斜視図である。
【図１７】図１６のＸＶＩＩ部を拡大して示す図である。
【図１８】本発明の実施の形態３に係る冷蔵庫１の下段収納容器７４−２及び仕切板８４を手前側側面部６４ｂ側から見た構成を示す斜視図である。
【図１９】本発明の実施の形態３に係る冷蔵庫１の下段収納容器７４−２及び仕切板８４を左側側面部６４ｃと平行な平面で切断した構成を示す断面図である。
【図２０】図１８のＸＸ−ＸＸ断面（図１９のＸＸ部）を示す図である。
【発明を実施するための形態】
【０００９】
実施の形態１．
本発明の実施の形態１に係る冷蔵庫について説明する。図１は、本実施の形態に係る冷蔵庫１の構成を示す斜視図である。図２は、図１のＩＩ−ＩＩ断面を示す断面図である。すなわち図２は、冷蔵庫１を当該冷蔵庫１の側面に平行な平面で切断した断面構成を示している。図３は、図２のＩＩＩ−ＩＩＩ断面を示す断面図である。すなわち図３は、冷蔵庫１を当該冷蔵庫１の前面に平行な平面で切断した断面構成を示している。なお、図１〜図３を含む以下の図面では、各構成部材の相対的な寸法の関係や形状等が実際のものとは異なる場合がある。また、明細書中における各構成部材同士の位置関係（例えば、上下関係等）は、原則として、冷蔵庫１が使用可能な状態に設置されたときのものである。
【００１０】
図１〜図３に示すように、冷蔵庫１は、前面が開口されて内部に貯蔵空間が形成された断熱箱体２を有している。断熱箱体２は、鋼鉄製の外箱と、樹脂製の内箱と、外箱と内箱との間の空間に充填された断熱材と、を有している。断熱箱体２の内部に形成された貯蔵空間は、１つ又は複数の仕切部材によって複数の貯蔵室に区画されている。各貯蔵室には、食品等の貯蔵物が貯蔵される。
【００１１】
本例の冷蔵庫１は、複数の貯蔵室として、最上段に配置された冷蔵室１０と、冷蔵室１０の下方に配置された切替室１２と、切替室１２の側方に隣接して切替室１２と並列に配置された製氷室１１と、切替室１２及び製氷室１１の下方に配置された冷凍室１３と、冷凍室１３の下方に配置された最下段の野菜室１４と、を備えている。
【００１２】
切替室１２は、冷凍温度帯（例えば、−１８℃程度）、冷蔵温度帯（例えば、３℃程度）、チルド温度帯（例えば、０℃程度）、ソフト冷凍温度帯（例えば、−７℃程度）等の各種温度帯に、保冷温度帯を切り換えることができるようになっている。
【００１３】
冷蔵室１０の前面に形成された開口部には、当該開口部を開閉する回転式の扉が設けられている。本例の扉は両開き式（観音開き式）であり、左扉３及び右扉４により構成されている。冷蔵庫１の前面となる扉（例えば、左扉３）の外側表面には、操作パネル９が設けられている。冷蔵室１０内には、左扉３及び右扉４の庫内側に取り付けられたポケット６０と、冷蔵室１０内を上下方向で複数の空間に仕切る庫内棚５０とが設けられている。
【００１４】
冷蔵室１０以外の各貯蔵室（切替室１２、製氷室１１、冷凍室１３、野菜室１４）は、それぞれ引出し式の扉５、６、７、８によって開閉されるようになっている。例えば、野菜室１４の前面に形成された開口部には、引出し式の扉８が設けられている。扉８の背面側には、扉８に対して垂直に突出した一対の扉フレーム（図示せず）が設けられている。扉フレームは、野菜室１４の左右両側の内壁に水平に形成された一対のレール（図示せず）に対して、それぞれスライド可能に係合している。扉８は、扉フレームとレールとをスライドさせることにより、冷蔵庫１の奥行方向（前後方向）に開閉できるようになっている。切替室１２、製氷室１１及び冷凍室１３に設けられた扉５、６、７は、扉８と同様の構成を有している。
【００１５】
各貯蔵室には、食品等を収納する収納容器が必要に応じて設けられている。例えば、冷蔵室１０の下部には、それぞれ前後方向にスライドする上段収納容器７０−１及び下段収納容器７０−２が設けられている。製氷室１１には、扉５と連動して前後方向にスライドする収納容器７１が設けられている。切替室１２には、扉６と連動して前後方向にスライドする収納容器７２が設けられている。冷凍室１３には、扉７と連動して前後方向にスライドする下段収納容器７３−２と、下段収納容器７３−２上に重ねられ、下段収納容器７３−２に対して前後方向にスライドする上段収納容器７３−１と、が設けられている。野菜室１４には、扉８と連動して前後方向にスライドする下段収納容器７４−２と、下段収納容器７４−２上に重ねられ、下段収納容器７４−２に対して前後方向にスライドする上段収納容器７４−１と、が設けられている。下段収納容器７４−２内の空間は、下段収納容器７４−２に着脱自在に取り付けられる仕切板８４によって仕切られている。
【００１６】
冷蔵庫１の背面側には、各貯蔵室内を冷却する冷却機構として、圧縮機２０、冷却器２１、冷却用ファン２２、ダクト３０及びダンパ２３、２４等が設けられている。圧縮機２０及び冷却器２１は、不図示の凝縮器及び膨張装置と共に、冷凍サイクルを構成するものである。圧縮機２０は、各貯蔵室から断熱された機械室１５に収容されている。圧縮機２０及び冷却器２１により作り出された冷気は、冷却用ファン２２によって送風され、冷蔵庫１の背面のダクト３０を通って冷凍室１３、切替室１２、製氷室１１及び冷蔵室１０に供給される。野菜室１４には、冷蔵室１０からの戻り冷気が冷蔵室用帰還風路（図示せず）を介して供給される。野菜室１４に供給された冷気は、戻りダクト３１を通って冷却器２１に戻される。各貯蔵室の温度は、各貯蔵室内に設置されたサーミスタにより検知される。各貯蔵室の温度は、ダクト３０に設置されたダンパ２３、２４の開度、圧縮機２０の出力、及び冷却用ファン２２の送風量などを調整することにより、予め設定された温度になるように制御される。
【００１７】
次に、野菜室１４に設けられる上段収納容器７４−１、下段収納容器７４−２及び仕切板８４について説明する。図４は、本実施の形態に係る冷蔵庫１の上段収納容器７４−１、下段収納容器７４−２及び仕切板８４の構成を示す斜視図である。図５は、本実施の形態に係る冷蔵庫１の下段収納容器７４−２及び仕切板８４の構成を示す斜視図である。図６は、図４のＶＩ−ＶＩ断面を示す断面図である。
【００１８】
（下段収納容器）
図４〜図６に示すように、下段収納容器７４−２は、上面が開口された略直方体形状の容器である。下段収納容器７４−２は、長方形状の底面部６４ａと、底面部６４ａの周囲に設けられた手前側側面部６４ｂ、左側側面部６４ｃ、奥側側面部６４ｄ及び右側側面部６４ｅと、を有している。互いに対向する左側側面部６４ｃ及び右側側面部６４ｅのそれぞれの内壁面には、下段収納容器７４−２の内側に向かって突出した第１リブ６５ａ、６５ｂが設けられている。第１リブ６５ａ、６５ｂは、下段収納容器７４−２と一体的に形成されている。第１リブ６５ａ、６５ｂは、互いに対向して設けられている。
【００１９】
左側側面部６４ｃの法線方向に沿って見ると、第１リブ６５ａは、上下方向に延伸した帯状又はくさび状の形状を有している。第１リブ６５ａの下端部は、底面部６４ａに接続されている。第１リブ６５ａの上端部は、左側側面部６４ｃの上下方向の中間部近傍の高さに位置している。また、左側側面部６４ｃの法線方向に沿って見ると、第１リブ６５ａの幅は、上下方向のいずれの位置でも同一か、又は下方ほど広くなっている。すなわち、第１リブ６５ａは、下端部で最大の幅寸法ｗ１をとる。下端部以外での第１リブ６５ａの幅寸法は、幅寸法ｗ１と同一又はそれより小さくなっている。
【００２０】
第１リブ６５ｂは、第１リブ６５ａと同様の形状、又は第１リブ６５ａに対して左右対称となる形状を有している。
【００２１】
（仕切板）
仕切板８４は、下段収納容器７４−２に着脱自在に取り付けられることにより、下段収納容器７４−２内の空間を前後方向に仕切る部材である。仕切板８４は、下段収納容器７４−２の左側側面部６４ｃと右側側面部６４ｅとの間の間隔と同程度の幅を備えた長方形平板状の形状を有している。仕切板８４の厚さ寸法ｔは、第１リブ６５ａ、６５ｂの幅寸法ｗ１よりも大きくなっている（ｔ＞ｗ１）。仕切板８４は、当該仕切板８４の外周端面を構成する４つの端面部として、下端面部８４ａ、左端面部８４ｂ、上端面部８４ｃ及び右端面部８４ｄを有している。左端面部８４ｂには、下段収納容器７４−２に設けられた第１リブ６５ａと係合する溝８５ａが形成されている。同様に、右端面部８４ｄには、第１リブ６５ｂと係合する溝８５ｂが形成されている。
【００２２】
溝８５ｂは、右端面部８４ｄの長手方向に沿って延伸しており、第１リブ６５ｂの形状と対応する帯状又はくさび状の溝形状を有している。溝８５ａは、第１リブ６５ｂの突出高さと同一又はそれより大きい深さ寸法を有する有底溝である。溝８５ｂの一方の端部は、下端面部８４ａ側に開口している。溝８５ｂの他方の端部は、上端面部８４ｃ側には開口しておらず、下端面部８４ａと上端面部８４ｃとの間で閉塞している。溝８５ｂの幅は、右端面部８４ｄの長手方向のいずれの位置でも同一か、又は下端面部８４ａ側ほど広くなっている。すなわち、溝８５ｂは、下端面部８４ａ側で最大の幅寸法ｗ２をとる。それ以外の部分での溝８５ｂの幅寸法は、幅寸法ｗ２と同一又はそれより小さくなっている。溝８５ｂの幅寸法ｗ２は、第１リブ６５ｂの幅寸法ｗ１と同程度であり、仕切板８４の厚さ寸法ｔよりも小さくなっている（ｔ＞ｗ２）。
【００２３】
溝８５ａは、溝８５ｂと同様の形状、又は溝８５ｂに対して左右対称となる形状を有している。
【００２４】
仕切板８４を下段収納容器７４−２に取り付ける際には、図５に示すように、仕切板８４を下段収納容器７４−２の上方に位置させる。そして、第１リブ６５ａ、６５ｂが溝８５ａ、８５ｂにそれぞれ挿入されるように、下段収納容器７４−２に対して仕切板８４を下方（図５中の太矢印方向）に移動させる。これにより、第１リブ６５ａ、６５ｂと溝８５ａ、８５ｂとが係合し、仕切板８４が下段収納容器７４−２に固定して取り付けられる。仕切板８４が取り付けられると、下段収納容器７４−２内の空間は仕切板８４によって、手前側に位置する前方空間８６と、奥側に位置する後方空間８７と、に仕切られる（図６参照）。また、下段収納容器７４−２に対して仕切板８４を上方（図５中の太矢印方向とは逆方向）に移動させることにより、仕切板８４を下段収納容器７４−２から取り外すこともできる。
【００２５】
（上段収納容器）
上段収納容器７４−１は、上面が開口された略直方体形状の容器である。上段収納容器７４−１は、下段収納容器７４−２よりも浅底に形成されている。上段収納容器７４−１の左右方向の幅は、下段収納容器７４−２の左右方向の幅と同程度である。一方、上段収納容器７４−１の前後方向の奥行きは、下段収納容器７４−２の前後方向の奥行きよりも小さくなっている。上段収納容器７４−１は、図６に示すように下段収納容器７４−２の後方空間８７上に重ねられる。これにより、後方空間８７の上面は、上段収納容器７４−１によって閉塞される。上段収納容器７４−１は、後方空間８７上の位置から、下段収納容器７４−２に対して後方にスライドできるようになっている。
【００２６】
仕切板８４が取り付けられている場合、後方空間８７の前面は、仕切板８４によって閉塞される。仕切板８４の上端面部８４ｃは、後方空間８７上に重ねられた上段収納容器７４−１（例えば、上段収納容器７４−１の底面部）に当接するか、又は、冷気の流動を阻害する程度に上段収納容器７４−１に近接する。これにより、後方空間８７は、上段収納容器７４−１、下段収納容器７４−２及び仕切板８４で囲まれた略密閉空間となる。したがって、葉物野菜などの比較的乾燥しやすい収納物を後方空間８７に収納することにより、収納物の乾燥を防ぐことができる。
【００２７】
以上説明したように、本実施の形態に係る冷蔵庫１は、内部に野菜室１４（貯蔵室の一例）が形成された断熱箱体２と、野菜室１４に設けられ、上面が開口した下段収納容器７４−２（収納容器の一例）と、下段収納容器７４−２に着脱自在に取り付けられ、下段収納容器７４−２内の空間を仕切る仕切板８４と、を備えている。下段収納容器７４−２の互いに対向する側面部（例えば、左側側面部６４ｃ及び右側側面部６４ｅ）には、下段収納容器７４−２の内側に突出した第１リブ６５ａ、６５ｂが設けられている。仕切板８４の側方の端面部（例えば、左端面部８４ｂ及び右端面部８４ｄ）には、当該端面部の長手方向に沿って延伸し第１リブ６５ａ、６５ｂと係合する溝８５ａ、８５ｂが形成されている。
【００２８】
本実施の形態によれば、第１リブ６５ａ、６５ｂ及び溝８５ａ、８５ｂが仕切板８４の厚さの範囲内に収められる。このため、仕切板８４が下段収納容器７４−２に取り付けられた状態では、仕切板８４を取り付けるための構造が下段収納容器７４−２の収納空間に突出するのを防ぐことができる。したがって、下段収納容器７４−２の収納容積をより増加させることができる。
【００２９】
実施の形態２．
本発明の実施の形態２に係る冷蔵庫について説明する。図７は、本実施の形態に係る冷蔵庫１の下段収納容器７４−２及び仕切板８４の構成を示す斜視図である。なお、実施の形態１と同一の機能及び作用を有する構成要素については、同一の符号を付してその説明を省略する。
【００３０】
図７に示すように、本実施の形態の下段収納容器７４−２の底面部６４ａには、前方空間８６の下部と後方空間８７の下部とを仕切る仕切部８８が形成されている。仕切部８８は、下段収納容器７４−２と一体的に形成されており、底面部６４ａから上方に土手状に突出して左右方向に延伸している。仕切部８８の一端は左側側面部６４ｃに接続されており、仕切部８８の他端は右側側面部６４ｅに接続されている。
【００３１】
仕切部８８は、前方空間８６側を向いた前面部８８ａと、後方空間８７側を向いた後面部８８ｂと、上方を向いた上面部８８ｃと、を有している。後述する図１０に示すように、後面部８８ｂは、底面部６４ａに対して垂直に形成されている。一方、前面部８８ａは、底面部６４ａに垂直な垂直面に対し、後方空間８７側に５°程度傾斜するように形成されている。
【００３２】
仕切部８８の上面部８８ｃには、当該上面部８８ｃからさらに上方に突出した第２リブ８９が形成されている。第２リブ８９は、仕切部８８すなわち下段収納容器７４−２と一体的に形成されている。底面部６４ａの法線方向に沿って見ると、本例の第２リブ８９は、左側側面部６４ｃから右側側面部６４ｅまで左右方向に帯状に延伸している。第２リブ８９の一端は第１リブ６５ａの下端部に接続されており、第２リブ８９の他端は第１リブ６５ｂの下端部に接続されている。第２リブ８９の前後方向の幅寸法ｗ３は、仕切板８４の厚さ寸法ｔよりも小さくなっている（ｔ＞ｗ３）。このように、本実施の形態の下段収納容器７４−２では、仕切板８４を取り付けるためのリブが、左側側面部６４ｃ及び右側側面部６４ｅに加えて、底面部６４ａにも設けられている。
【００３３】
図８は、本実施の形態に係る冷蔵庫１の仕切板８４を下端面部８４ａ側から見た構成を示す斜視図である。図８に示すように、仕切板８４の下端面部８４ａには、下段収納容器７４−２の第２リブ８９と係合する凹部９０が形成されている。本例の凹部９０は、下端面部８４ａの長手方向に沿って延伸する有底溝状に形成されている。凹部９０の一端は溝８５ａの下端部に接続されており、凹部９０の他端は溝８５ｂの下端部に接続されている。これにより、溝８５ａ、凹部９０及び溝８５ｂは、左端面部８４ｂ、下端面部８４ａ及び右端面部８４ｄの３端面に跨がる溝として一体化している。凹部９０の幅寸法ｗ４は、第２リブ８９の幅寸法ｗ３と同程度であり、仕切板８４の厚さ寸法ｔよりも小さくなっている（ｔ＞ｗ４）。
【００３４】
図９は、本実施の形態に係る冷蔵庫１の下段収納容器７４−２に仕切板８４及び上段収納容器７４−１を取り付けた状態を示す斜視図である。図１０は、図９のＸ−Ｘ断面を示す断面図である。図１１は、図１０のＸＩ部を拡大して示す図である。仕切板８４を取り付ける際には、実施の形態１と同様に、第１リブ６５ａ、６５ｂが溝８５ａ、８５ｂにそれぞれ挿入されるように、下段収納容器７４−２に対して仕切板８４を下方に移動させる。そして、最後に、第２リブ８９が凹部９０に嵌め込まれる。これにより、第１リブ６５ａ、６５ｂ及び第２リブ８９と溝８５ａ、８５ｂ及び凹部９０とがそれぞれ係合し、仕切板８４が下段収納容器７４−２に取り付けられる。
【００３５】
図９〜図１１に示すように、仕切板８４の後方空間８７側の表面部８４ｆには、表面部８４ｆの一部が表面部８４ｅ側に凹陥した凹陥部９１が形成されている。仕切板８４は、底面部６４ａに垂直な垂直面に対し、上端側が後方空間８７側（すなわち、表面部８４ｆ側）に傾斜するように取り付けられている。底面部６４ａに垂直な垂直面に対する仕切板８４の傾斜角度は５°程度である。すなわち、仕切板８４は、前方空間８６側の表面部８４ｅが仕切部８８の前面部８８ａと同一平面となるように取り付けられる。
【００３６】
仕切板８４の上端面部８４ｃは、後方空間８７上に重ねられた上段収納容器７４−１（例えば、上段収納容器７４−１の底面部）に当接するか、又は、冷気の流動を阻害する程度に上段収納容器７４−１に近接する。これにより、後方空間８７は、上段収納容器７４−１、下段収納容器７４−２及び仕切板８４で囲まれた略密閉空間となる。したがって、葉物野菜などの比較的乾燥しやすい収納物を後方空間８７に収納することにより、収納物の乾燥を防ぐことができる。
【００３７】
以上説明したように、本実施の形態に係る冷蔵庫１では、下段収納容器７４−２（収納容器の一例）の底面部６４ａには、当該底面部６４ａから上方に突出し、下段収納容器７４−２内の空間の下部を仕切る仕切部８８が設けられている。仕切部８８の上面部８８ｃには、当該上面部８８ｃからさらに上方に突出した第２リブ８９が設けられている。仕切板８４の下方の端面部（例えば、下端面部８４ａ）には、第２リブ８９と係合する凹部９０が形成されている。
【００３８】
本実施の形態では、第２リブ８９と凹部９０とが係合することによって、仕切板８４の左端面部８４ｂ及び右端面部８４ｄだけでなく下端面部８４ａも下段収納容器７４−２に対して固定することができる。このため、仕切板８４がたわみやすい場合や、本例のように仕切板８４が傾斜して取り付けられる場合であっても、仕切板８４がたわむのを防止することができる。また、第２リブ８９及び凹部９０は仕切板８４の厚さの範囲内に収められるため、下段収納容器７４−２の収納容積の減少を防ぐことができる。
【００３９】
また、本実施の形態に係る冷蔵庫１では、仕切板８４の一方の表面部８４ｆには凹陥部９１が形成されている。仕切板８４は、上端側が表面部８４ｆ側に傾斜するように下段収納容器７４−２に取り付けられている。
【００４０】
この構成によって得られる効果について説明する。図１２は、本実施の形態の比較例として、仕切板８４が底面部６４ａに対して垂直に取り付けられた場合の下段収納容器７４−２等の構成を示している。図１３は、本実施の形態に係る下段収納容器７４−２等の構成を示している。図１２及び図１３では、ＪＩＳ  Ｃ  ９８０１付属書ＪＡに基づく後方空間８７の食品収納スペース有効範囲にハッチングを付している。図１２に示すように、仕切板８４が底面部６４ａに対して垂直に取り付けられている場合、仕切板８４の背面側の表面部８４ｆに凹陥部９１が形成されていたとしても、凹陥部９１内の空間は、ＪＩＳ  Ｃ  ９８０１付属書ＪＡに基づく食品収納スペース有効範囲にならない。一方、図１３に示すように、底面部６４ａに垂直な垂直面に対して仕切板８４が後方空間８７側（表面部８４ｆ側）に例えば５°程度傾斜して取り付けられている場合、凹陥部９１内の空間の一部は、ＪＩＳ  Ｃ  ９８０１付属書ＪＡに基づく食品収納スペース有効範囲となる。したがって、本実施の形態によれば、仕切板８４が取り付けられることによる下段収納容器７４−２の収納容積の減少を緩和でき、下段収納容器７４−２の実質的な収納容積をより増加させることができる。
【００４１】
実施の形態３．
本発明の実施の形態３に係る冷蔵庫について説明する。図１４は、本実施の形態に係る冷蔵庫１の下段収納容器７４−２を奥側側面部６４ｄ側から見た構成を示す斜視図である。図１５は、図１４のＸＶ部を拡大して示す図である。図１６は、本実施の形態に係る冷蔵庫１の仕切板８４を下端面部８４ａ側から見た構成を示す斜視図である。図１７は、図１６のＸＶＩＩ部を拡大して示す図である。図１８は、本実施の形態に係る冷蔵庫１の下段収納容器７４−２及び仕切板８４を手前側側面部６４ｂ側から見た構成を示す斜視図である。図１９は、本実施の形態に係る冷蔵庫１の下段収納容器７４−２及び仕切板８４を左側側面部６４ｃと平行な平面で切断した構成を示す断面図である。図２０は、図１８のＸＸ−ＸＸ断面（図１９のＸＸ部）を示す図である。なお、実施の形態１又は２と同一の機能及び作用を有する構成要素については、同一の符号を付してその説明を省略する。
【００４２】
図１４〜図２０に示すように、第２リブ８９の側面には、少なくとも１つの係止穴９２が形成されている。仕切板８４の凹部９０の内側には、少なくとも１つの係止突起９３が形成されている。係止穴９２及び係止突起９３は、仕切板８４が下段収納容器７４−２に取り付けられて第２リブ８９が凹部９０に係合した際に、互いに相対する位置に配置されている。これにより、第２リブ８９が凹部９０に係合した際には、係止穴９２に係止突起９３が嵌入し、係止穴９２が係止突起９３によって係止される。
【００４３】
本実施の形態では、第２リブ８９に係止穴９２が形成され、凹部９０に係止突起９３が形成されているが、第２リブ８９に係止突起９３が形成され、凹部９０に係止穴９２が形成されていてもよい。
【００４４】
以上説明したように、本実施の形態に係る冷蔵庫１では、第２リブ８９又は凹部９０の一方には、係止突起９３が形成されている。第２リブ８９又は凹部９０の他方には、係止突起９３により係止される係止穴９２が形成されている。
【００４５】
本実施の形態によれば、下段収納容器７４−２を傾けたり、逆さにしたとしても、仕切板８４が下段収納容器７４−２から容易に外れないようにすることができる。
【００４６】
本発明は、上記実施の形態に限らず種々の変形が可能である。
例えば、上記実施の形態では、仕切板８４によって下段収納容器７４−２内の空間が前後方向に仕切られる構成を例に挙げたが、本発明は、仕切板によって下段収納容器内の空間が左右方向に仕切られる構成にも適用することができる。
【００４７】
また、上記実施の形態では、収納容器として下段収納容器７４−２を例に挙げたが、本発明に係る収納容器は、上段収納容器７４−１にも適用することができる。また、本発明に係る収納容器は、野菜室１４以外の貯蔵室に設けられる収納容器７１、７２、上段収納容器７０−１、７３−１又は下段収納容器７０−２、７３−２にも適用することができる。
【００４８】
また、上記の各実施の形態は、互いに組み合わせて実施することが可能である。
【符号の説明】
【００４９】
１  冷蔵庫、２  断熱箱体、３  左扉、４  右扉、５、６、７、８  扉、９  操作パネル、１０  冷蔵室、１１  製氷室、１２  切替室、１３  冷凍室、１４  野菜室、１５  機械室、２０  圧縮機、２１  冷却器、２２  冷却用ファン、２３、２４  ダンパ、３０  ダクト、３１  戻りダクト、５０  庫内棚、６０  ポケット、６４ａ  底面部、６４ｂ  手前側側面部、６４ｃ  左側側面部、６４ｄ  奥側側面部、６４ｅ  右側側面部、６５ａ、６５ｂ  第１リブ、７０−１  上段収納容器、７０−２  下段収納容器、７１、７２  収納容器、７３−１  上段収納容器、７３−２  下段収納容器、７４−１  上段収納容器、７４−２  下段収納容器、８４  仕切板、８４ａ  下端面部、８４ｂ  左端面部、８４ｃ  上端面部、８４ｄ  右端面部、８４ｅ、８４ｆ  表面部、８５ａ、８５ｂ  溝、８６  前方空間、８７  後方空間、８８  仕切部、８８ａ  前面部、８８ｂ  後面部、８８ｃ  上面部、８９  第２リブ、９０  凹部、９１  凹陥部、９２  係止穴、９３  係止突起。
【図１】
0006605145.tif 000002
【図２】
0006605145.tif 000003
【図３】
0006605145.tif 000004
【図４】
0006605145.tif 000005
【図５】
0006605145.tif 000006
【図６】
0006605145.tif 000007
【図７】
0006605145.tif 000008
【図８】
0006605145.tif 000009
【図９】
0006605145.tif 000010
【図１０】
0006605145.tif 000011
【図１１】
0006605145.tif 000012
【図１２】
0006605145.tif 000013
【図１３】
0006605145.tif 000014
【図１４】
0006605145.tif 000015
【図１５】
0006605145.tif 000016
【図１６】
0006605145.tif 000017
【図１７】
0006605145.tif 000018
【図１８】
0006605145.tif 000019
【図１９】
0006605145.tif 000020
【図２０】
0006605145.tif 000021